(57)【要約】【課題】穿孔過程なしに直接植立が可能、且つインプラントのネジ部を歯槽骨に植立した後に張力が加えられても、その張力による歯槽骨への影響を最少にする構造を開発することにより、前記インプラントのネジの初期安定性（植立時に摩擦熱が発生する穿孔過程を省略させることで）と中期安定性（応力を適切に分散させることで）とが向上されたインプラントを提供する。【解決手段】本発明は、上部にヘッドが形成されており、その下部には弾性部材を固定する固定部と、工具を結合する工具結合部と、歯骨槽に植立される植立部と、所定の長さを有するネジと、が順次に形成されたインプラントであって、前記ネジは、上広下狭の円錐形からなり、該円錐形からなるネジ山のうち、上部１層または２層以上のネジ山先端は所定の幅を有する面が形成され、その下部のネジ山先端は鋭角が形成されている。
2006514840.tif 000002
【特許請求の範囲】
【請求項１】
上部にヘッド（３１）が形成されており、その下部には弾性部材を固定する固定部（３２）と、工具を結合する工具結合部（３３）と、歯槽骨に植立される植立部（３４）と、所定の長さを有するネジ（３５）と、が順次に形成されたインプラントであって、 
前記ネジは、上広下狭の円錐形からなり、該円錐形からなるネジ山（３６）のうち、上部１層または２層以上のネジ山先端（３７）は所定の幅を有する面（３８）が形成され、その下部のネジ山先端は鋭角が形成されたことを特徴とするインプラント。 
【請求項２】
前記所定の幅を有する面（３８）が形成されたネジ山（３６）層は、前記ネジ（３５）全体長さの１／２以下であることを特徴とする請求項１記載のインプラント。 
【請求項３】
前記ネジ山（３６）の先端に形成された面（３８）の幅は、最上部に位置するネジ山面の幅が最も広く、その下部に向かうほど次第に狭くなるように形成されたことを特徴とする請求項１記載のインプラント。 
【請求項４】
前記歯槽骨に植立されるネジの上部に形成された固定部は、矯正対象歯牙に張力を加え、該矯正対象歯牙を矯正するようにする弾性部材（ｔ）の片側を固定するように構成されたことを特徴とする請求項１記載のインプラント。 
【発明の詳細な説明】
【技術分野】
【０００１】
本発明は、歯列矯正施術を行う際に歯槽骨に植立して用いられるインプラントのネジ部構造を変形してなるインプラントに係り、さらに詳細には、歯列を矯正するためにネジ部を歯槽骨に植立するにおいて、別途の穿孔（drilling）過程なしに直接植立することができ、且つその植立されたインプラントの固定部にワイヤやスプリング（以下、弾性部材とする）をかけて（結合して）張力を加える際にその張力による応力を適切に分散させることにより、インプラントと歯槽骨との界面を健康に保持させることができるようにしたインプラントに関する。 
【背景技術】
【０００２】
矯正用インプラントは、固定を目的として治療に用いられるので、安定性を確保することが何よりも重要であるが、安定性はインプラント植立直後の１次的安定性と、インプラント使用時の２次的安定性との２つに大きく分けて考えることができる。 
【０００３】
前記植立直後の１次的安定性を向上させるためには、植立時に骨組職の損傷を最少化しつつ、骨組職との接触面を極大化させなければならないが、このためには、骨組職に致命的な、摩擦熱を発生させる穿孔過程なしに直接植立することが望ましい。また、このように、タッピング（tapping）過程（ネジ山（thread）を形成すること）と穿孔過程（穴を形成すること）とを全て省略し、直ちに植立すると、軟組織皮弁手術が必要なく、簡単、且つ施術時間が短いという長所がある。しかし、このためにはインプラントのネジ山先端が鋭角を成していなければならない。 
【０００４】
前記植立後、治療中の２次的安定性を向上させるためには、矯正治療に用いられる矯正力が骨組職に有害な影響を及ぼさないように応力を分散させなければならないが、これはネジ部、特に矯正力が集中するネジ上部のネジの形状と関係がある。 
【０００５】
インプラントを用いた歯列の矯正は、図１に示すように、矯正対象歯牙１１にブラケット２６を装着し、歯槽骨１０にインプラント２０のネジ部２１を植立した後、弾性部材ｔを用いて、その片側端は前記ブラケット２６に、他側端は前記インプラント２０の固定部２３に結合して、所定の張力を加えながら前記矯正対象歯牙１１を矯正するようになる。 
【０００６】
この時、前記歯槽骨１０に挿入されるインプラント２０のネジ部２１は、弾性部材ｔから発生する張力によって、該張力が加えられる方向にインプラント２０が圧力を受けながら、ネジ部の傾斜面によって歯槽骨に良くない影響を与え得る過度な剪断力（shear 
force）が発生し、これにより歯槽骨が吸収されてインプラントと歯槽骨との界面を健康に保持できなくなるなど、これを改善することのできるネジ部２１の構造が切実に求められている。 
【０００７】
しかしながら、従来のインプラント（韓国実用新案登録出願第１９９９−３０３２３号）は、図２に示すように、上部にヘッド２２が形成されており、その下部に順次に固定部２３、工具結合部２４、弾性部材ｔをかけることができる程度の空間を確保した下端に突部２５、歯槽骨１０に植立されるネジ部２１が所定の長さに形成されている。 
【０００８】
前記のような構成を有する前記インプラント２０において、ネジ部２１をみると、通常のネジクギ形態であって、ネジ山２７がネジ部２１の上端から下端に至るまで等しく鋭角を成しているので、上記に言及された弾性部材ｔで発生する張力によって歯槽骨１０に植立されたネジ部２１ネジの切断面に応力が集中し、これによって歯槽骨が吸収されてインプラントの安定性は急激に減少する。 
【０００９】
これを図３ａ及び図３ｂを参照してより詳細に説明すると、まず、矯正対象歯牙を矯正するために、歯槽骨１０にインプラント２０のネジ部２１を植立し（図３ａ参照）、弾性部材ｔの他端を突部２５上側の空間に所定の張力を有するようにかけると、前記インプラント２０、すなわち、ネジ部２１は、弾性部材ｔの張力によって、図３ｂに示すように、張力が発生する方に傾く。 
【００１０】
したがって、前記ネジ部２１の傾斜面によって歯槽骨に良くない影響を与え得る過度な剪断力が発生するだけでなく、鋭利なネジ山の先端に応力が集中して歯槽骨が吸収され、これにより歯槽骨の支持が減少して相対的な応力が増加し、歯槽骨吸収が加速化されて、結局、インプラントが脱落し得る。 
【００１１】
前記のような問題点を有するインプラントの他にも、従来には多種類の歯列矯正用インプラントが提供されているが、これらいずれのネジ部も、ネジ山がネジ部の上端から下端が至るまで等しく鋭角を成したり、植立時に歯槽骨に致命的な熱を発生させる穿孔過程が必要なネジ構造を有していたりすることから、その構造的な問題点によって植立過程、或いは使用時に歯槽骨に望ましくない損傷を与えて安定性を減少させるという問題点があった。 
【００１２】
【特許文献１】韓国実用新案登録出願第１９９９−３０３２３号
【発明の開示】
【発明が解決しようとする課題】
【００１３】
本発明は、前記のような諸般の問題点に鑑みてなされたもので、その目的は、穿孔過程なしに直接植立が可能、且つインプラントのネジ部を歯槽骨に植立した後に張力が加えられても、その張力による歯槽骨への影響を最少にする構造を開発することにより、前記インプラントのネジの初期安定性（植立時に摩擦熱が発生する穿孔過程を省略させることで）と中期安定性（応力を適切に分散させることで）とが向上したインプラントを提供することにある。 
【課題を解決するための手段】
【００１４】
上記目的を達成するために、本発明は、上部にヘッドが形成されており、その下部には弾性部材を固定する固定部と、工具を結合する工具結合部と、歯骨槽に植立される植立部と、所定の長さを有するネジと、が順次に形成されたインプラントであって、前記ネジは、上広下狭の円錐形からなり、該円錐形からなるネジ山のうち、上部１層または２層以上のネジ山先端は所定の幅を有する面が形成され、その下部のネジ山先端は鋭角が形成されている。 
【００１５】
また、前記所定の幅を有する面が形成されたネジ山は、前記ネジ全体長さの１／２以下になるようにし、前記ネジ山の先端に形成された面の幅は、最上部に位置するネジ山面の幅が最も広く、その下部に向かうほど次第に狭くなるように形成した。 
【発明の効果】
【００１６】
本発明のインプラントは、複数の層を成すネジ山のうち、上部一部にネジ山先端が所定の幅の面を有するように形成することによって、植立時に歯槽骨を失活させ得る摩擦熱が発生する穿孔過程を省略させることでインプラントのネジの初期安定性を向上させ、応力を適切に分散させることで中期安定性を向上させることができる効果がある。 
【発明を実施するための最良の形態】
【００１７】
このように構成された前記インプラントを、添付図面に基づいて詳細に説明すると、次のとおりである。 
【００１８】
本発明の図４は、本発明に係わるインプラント斜視図であり、図５は本発明に係わるインプラント断面図であって、まず、インプラント３０の最上部に位置するヘッド３１は、その下部に弾性部材ｔを固定するために形成された固定部３２より直径が大きく形成されている。その理由は、前記固定部３２に弾性部材ｔを固定した際に、その固定された弾性部材ｔが外部に抜け出さないようにするためである。 
【００１９】
また、前記ヘッド３１の下部には、弾性部材ｔを固定するための固定部３２がヘッド３１の直径より小さく、且つ所定の長さを有するように形成されているが、その所定の長さを有するように形成させた理由は、弾性部材ｔの直径に関係なく、容易に固定するとともに、安全に固定（連結）するためである。 
【００２０】
なお、前記固定部の下部には、インプラント３０を歯槽骨１０に植立する際に、手工具を結合するための工具結合部３３が形成されているが、該工具結合部３３は六角ナット形状であり、直径は固定部３２の直径部より大きく形成した。その理由は、前記ヘッド３１と同様に、固定部３２に弾性部材ｔを固定した際に、その固定された弾性部材ｔが固定された位置から離脱しないようにするためである。 
【００２１】
そして、前記工具結合部３３の下部には歯槽骨１０に植立される植立部３４を所定の長さを有し、前記工具結合部３３の直径より小さく形成し、前記植立部３４の下部には該植立部３４に引き続き歯槽骨１０に植立されて固定され、形状が上広下狭の円錐形からなるネジ３５を所定の長さを有するように形成した。 
【００２２】
前記所定の長さを有するように形成されたネジ３５のネジ山３６は、複数の層を有するように形成されており、その複数の層を有するように形成されたネジ山３６のうち、上部１層または２層以上のネジ山先端３７は所定の幅を有する面３８が形成されており、その下部のネジ山先端３７は鋭角が形成されている。 
【００２３】
前記ネジ山先端３７に所定の幅を有する面３８を形成した理由は、従来のネジ部の問題点を解消するためであり、図６ａに示すように、ネジ３５が歯槽骨１０に植立された後、弾性部材ｔの張力が加えられた際に、ネジ山先端３７の面３８が、図６ｂに示すように、歯槽骨１０と面接触しながら、その歯槽骨１０を切開せず、若干の押圧力だけを加えるようにして歯槽骨１０に傷を誘発させないようにするためである。 
【００２４】
但し、前記所定の幅を有する面３８が形成されたネジ山３６層は、前記ネジ３５全体長さの１／２以下を保持するのが望ましいが、必要によっては、上部１層ないし２層のみを形成して用いても良く、ネジ３５全体長さの１／２以上を形成して用いても良い。 
【００２５】
また、前記ネジ山３６の先端に形成された面３８の幅は、最上部に位置するネジ山面３８の幅が最も広く、その下部に向かうほど次第に狭くなるように形成して用いることが望ましいが、その理由は、ネジ３５が歯槽骨１０に植立される際に容易に植立されるようにするためと共に、植立完了後に安全な支持力を発揮するようにするためである。 
【００２６】
上述したような本発明のインプラントは、歯列矯正施術において、植立時に歯槽骨を失活させ得る摩擦熱が発生する穿孔過程を省略させることでインプラントのネジの初期安定性を向上させ、応力を適切に分散させることで中期安定性を向上させることができる。 
【図面の簡単な説明】
【００２７】
【図１】インプラントを用いて歯列を矯正する状態を示す概略図である。
【図２】従来のインプラントの一実施例を示す斜視図である。
【図３ａ】前記従来のインプラントネジ部が歯肉に植立された際の問題点を説明するための作用図である。
【図３ｂ】図３ａとともに従来のインプラントネジ部が歯肉に植立された際の問題点を説明するための作用図である。
【図４】本発明に係るインプラント斜視図である。
【図５】本発明に係るインプラント断面図である。
【図６ａ】本発明に係るインプラントネジ部が歯槽に植立された際の長所を説明するための作用図である。
【図６ｂ】図６ａとともに本発明に係るインプラントネジ部が歯槽に植立された際の長所を説明するための作用図である。
【符号の説明】
【００２８】
３０    インプラント 
３１    ヘッド 
３２    固定部 
３３    工具結合部 
３４    植立部 
３５    ネジ 
３６    ネジ山 
３７    ネジ山先端 
３８    ネジ山先端面 
【図１】
2006514840.tif 000003
【図２】
2006514840.tif 000004
【図３ａ】
2006514840.tif 000005
【図３ｂ】
2006514840.tif 000006
【図４】
2006514840.tif 000007
【図５】
2006514840.tif 000008
【図６ａ】
2006514840.tif 000009
【図６ｂ】
2006514840.tif 000010
【国際調査報告】
2006514840.tif 000011
2006514840.tif 000012